(57)【要約】      （修正有）【課題】折りたたみが可能で、製箱、収納、包装作業、および持ち運びが容易で、商品および商品標識等の展示効果を備えた、包装用兼展示用紙箱を提供する。【解決手段】正面板１に透視窓１ａを設ける。糊代板と正面板２を貼着することで、正面板２、側面板３、背面板４、側面板５がそれぞれ折目線を介して角筒状に連接される。正面板１及び側面板３に差込片をそれぞれ設けて正面板１の開口時係止部を形成する。正面板１、側面板３、背面板４、側面板５のそれぞれの上縁端に折目線を介して上蓋板１１、１２、１３、１４を区画して開閉自在な上蓋部を形成し、それぞれの下縁端に折目線を介して底面板をそれぞれに区画して底面部を形成する。糊代板の上縁端に折目線を介して区画された内底板７に、収納物品を支持、固定する嵌込孔１０を設け、折目線を介して差込片をそれぞれに区画した。【選択図】図１
0003174956.tif 000002
【実用新案登録請求の範囲】
【請求項１】
折りたたんだ状態で保管することができ、折り目線に沿って折り曲げるだけで簡単に製箱することが可能であり、開口部を広くとることで、展示効果および商品の収納作業の容易性が高く、差込片を切込みに差し込んで上蓋部を閉じる構造になっており、包装作業が容易で、持ち手が設けられていることにより持ち運びも容易で、正面板に透視窓が設けられ、包装した状態でも収容物品を目視で確認することが可能な紙製の包装用兼展示用箱。
【考案の詳細な説明】
【技術分野】
【０００１】  本考案は、収納した商品を保管輸送し、収容物品を収納したまま展示可能な包装兼展示用の紙箱に関するものである。
【背景技術】
【０００２】  従来、この種の包装兼展示用箱として、宅配による搬送が可能で、蓋体などを別部品としない一体型で、容易に組み立てることができるものが提示されている（特許文献１参照）。また、正面板に透視窓を有するなど、高い展示効果を備えたものも提示されている（特許文献２参照）。
【先行技術文献】
【特許文献】
【０００３】
【特許文献１】  実開昭６３−１７７２２４
【特許文献２】  実登３１６２４０４
【考案の概要】
【考案が解決しようとする課題】
【０００４】  折りたたみが可能で、運搬、保管、廃棄時の処理、処分が容易な紙性の、製箱作業、商品の収納作業、包装作業、および持ち運びの容易性が高い、商品および商品標識等の展示効果を備えた、包装用兼展示用の紙箱が要請されている。
【課題を解決するための手段】
【０００５】  本考案は、糊代板６に正面板２を接着剤等であらかじめ貼着し、図４のように折りたたんだ状態で保管することができ、この状態から、折り目線に沿って折り曲げるだけで容易に製箱することが可能である。図１に示す実施例のように、正面板１を外側に折り返し、差込片１ａを差込片３ａとともに内側に折り込み、正面板１を側面板３に留めることで、展示用として実施することができる。正面板１が大きく開口することで、商品の収納作業の容易性および内部に対する視認性を高めている。また、図２に示す実施例のように、正面板１を閉じた状態においても、透視窓１ａを通して、収容物品を目視で確認することを可能としている。また、背面板４に設けられた孔４ａは持ち運び用の把手として利用することができる。
【考案の効果】
【０００６】  本考案は、包装時には透視窓を通じて収容物品を目視で確認することができ、把手が付いていることで持ち運びがしやすく、製箱作業、商品の収納作業、包装作業も容易な、販売時の包装用と展示用に利用できる包装兼展示用の紙箱を提供できるものである。
【図面の簡単な説明】
【０００７】
【図１】  本考案の１実施例を示す斜視図である
【図２】  本考案の他の実施例を示す斜視図である。
【図３】  本考案の展開図である。
【図４】  本考案の折りたたんだ状態の実施例を示す斜視図である。
【考案を実施するための形態】
【０００８】  展示用として実施する場合は、嵌合孔１０に収容物品を収納し、図１のように、正面板１を外側に折り返し、差込片１ａを差込片３ａとともに内側に折り込んで正面板１を側面板３に留め、差込孔１３ａに差込片１４ａを差し込んで上蓋部を閉じる。また、包装用として実施する場合は、図２のように、差込孔１１ａと１３ａに、差込片１４ｂと１４ａをそれぞれ差し込んで上蓋部を閉じる。
【実施例】
【０００９】  以下、添付図面に従って実施例を説明する。【００１０】  本考案の包装兼展示用箱は、一枚の段ボールなどの紙を図３の展開図のように切り取ったものからなり、糊代板６に正面板２を接着剤等により貼着して使用する。正面板１には透視窓１ａおよび差込片１ｂが設けられている。また、背面板４には把手として利用できる孔４ａが、内底板７には収容物品を収納、固定するための嵌合孔１０がそれぞれ設けられている。【００１１】  図１は、本考案の展示用箱としての実施例を示した斜視図である。正面板１を外側に折り返し、差込片１ａを差込片３ａとともに内側に折り込むことによって、正面板１を側面板３に固定する。また、差込孔１３ａに差込片１４ａを差し込んで上蓋部を閉じる。収容物は、嵌合孔１０に収納することで固定される。収容物が不安定な場合は、輪ゴム等を切込み４ｂに引掛け、これを用いて固定することが可能である。また、背面板４に設けられた孔４ａを把手として利用し、容易に持ち運ぶことが可能である。この孔は収容物品が生花等の場合には、空気孔としても作用するようになっている。【００１２】  図２は、本考案の包装用箱としての実施例を示した斜視図である。正面板１を閉じ、上蓋板１２を内側に折り曲げ、さらに上蓋板１１および上蓋板１３を折り曲げ、差込孔１１ａと１３ａに差込片１４ｂと１４ａをそれぞれ差し込んで上蓋部を閉じる。この状態では、正面板１に設けられた透視窓１ａを通して、内部を目視により確認することが可能である。
【符号の説明】
【００１３】      １，２  正面板
１ａ  透視窓
１ｂ，３ｂ，５ｂ，８，９，１４ａ，１４ｂ  差込片
２ａ，３ａ，４ａ，５ａ  底面板
３，５  側面板
４  背面板
４ｂ  切込み
６  糊代板
７  内底板
１０  嵌合孔
１１，１２，１３，１４  上蓋板
１１ａ，１３ａ  差込孔
【図１】
0003174956.tif 000003
【図２】
0003174956.tif 000004
【図３】
0003174956.tif 000005
【図４】
0003174956.tif 000006
【手続補正書】
【提出日】平成23年11月21日(2011.11.21)
【手続補正１】
【補正対象書類名】明細書
【補正対象項目名】全文
【補正方法】変更
【補正の内容】
【考案の詳細な説明】
【技術分野】
【０００１】  本考案は、収納した商品を保管輸送し、収容物品を収納したまま展示可能な包装兼展示用の紙箱に関するものである。
【背景技術】
【０００２】  従来、この種の包装兼展示用箱として、宅配による搬送が可能で、蓋体などを別部品としない一体型で、容易に組み立てることができるものが提示されている（特許文献１参照）。また、正面板に透視窓を有するなど、高い展示効果を備えたものも提示されている（特許文献２参照）。
【先行技術文献】
【特許文献】
【０００３】
【特許文献１】  実開昭６３−１７７２２４
【特許文献２】  実登３１６２４０４
【考案の概要】
【考案が解決しようとする課題】
【０００４】  折りたたみが可能で、運搬、保管、廃棄時の処理、処分が容易な紙性の、製箱作業、商品の収納作業、包装作業、および持ち運びの容易性が高い、商品および商品標識等の展示効果を備えた、包装用兼展示用の紙箱が要請されている。
【課題を解決するための手段】
【０００５】  本考案は、糊代板６に正面板２を接着剤等であらかじめ貼着し、図４のように折りたたんだ状態で保管することができ、この状態から、折り目線に沿って折り曲げるだけで容易に製箱することが可能である。図１に示す実施例のように、正面板１を外側に折り返し、差込片１ａを差込片３ａとともに内側に折り込み、正面板１を側面板３に留めることで、展示用として実施することができる。正面板１が大きく開口することで、商品の収納作業の容易性および内部に対する視認性を高めている。また、図２に示す実施例のように、正面板１を閉じた状態においても、透視窓１ａを通して、収容物品を目視で確認することを可能としている。また、背面板４に設けられた孔４ｃは持ち運び用の把手として利用することができる。
【考案の効果】
【０００６】  本考案は、包装時には透視窓を通じて収容物品を目視で確認することができ、把手が付いていることで持ち運びがしやすく、製箱作業、商品の収納作業、包装作業も容易な、販売時の包装用と展示用に利用できる包装兼展示用の紙箱を提供できるものである。
【図面の簡単な説明】
【０００７】
【図１】  本考案の１実施例を示す斜視図である
【図２】  本考案の他の実施例を示す斜視図である。
【図３】  本考案の展開図である。
【図４】  本考案の折りたたんだ状態の実施例を示す斜視図である。
【考案を実施するための形態】
【０００８】  展示用として実施する場合は、嵌合孔１０に収容物品を収納し、図１のように、正面板１を外側に折り返し、差込片１ａを差込片３ａとともに内側に折り込んで正面板１を側面板３に留め、差込孔１３ａに差込片１４ａを差し込んで上蓋部を閉じる。また、包装用として実施する場合は、図２のように、差込孔１１ａと１３ａに、差込片１４ｂと１４ａをそれぞれ差し込んで上蓋部を閉じる。
【実施例】
【０００９】  以下、添付図面に従って実施例を説明する。【００１０】  本考案の包装兼展示用箱は、一枚の段ボールなどの紙を図３の展開図のように切り取ったものからなり、糊代板６に正面板２を接着剤等により貼着して使用する。正面板１には透視窓１ａおよび差込片１ｂが設けられている。また、背面板４には把手として利用できる孔４ｃが、内底板７には収容物品を収納、固定するための嵌合孔１０がそれぞれ設けられている。【００１１】  図１は、本考案の展示用箱としての実施例を示した斜視図である。正面板１を外側に折り返し、差込片１ａを差込片３ａとともに内側に折り込むことによって、正面板１を側面板３に固定する。また、差込孔１３ａに差込片１４ａを差し込んで上蓋部を閉じる。収容物は、嵌合孔１０に収納することで固定される。収容物が不安定な場合は、輪ゴム等を切込み４ｂに引掛け、これを用いて固定することが可能である。また、背面板４に設けられた孔４ｃを把手として利用し、容易に持ち運ぶことが可能である。この孔は収容物品が生花等の場合には、空気孔としても作用するようになっている。【００１２】  図２は、本考案の包装用箱としての実施例を示した斜視図である。正面板１を閉じ、上蓋板１２を内側に折り曲げ、さらに上蓋板１１および上蓋板１３を折り曲げ、差込孔１１ａと１３ａに差込片１４ｂと１４ａをそれぞれ差し込んで上蓋部を閉じる。この状態では、正面板１に設けられた透視窓１ａを通して、内部を目視により確認することが可能である。
【符号の説明】
【００１３】１，２  正面板
１ａ  透視窓
１ｂ，３ｂ，５ｂ，８，９，１４ａ，１４ｂ  差込片
２ａ，３ａ，４ａ，５ａ  底面板
３，５  側面板
４  背面板
４ｂ  切込み
４ｃ  孔
６  糊代板
７  内底板
１０  嵌合孔
１１，１２，１３，１４  上蓋板
１１ａ，１３ａ  差込孔
【手続補正２】
【補正対象書類名】実用新案登録請求の範囲
【補正対象項目名】請求項１
【補正方法】変更
【補正の内容】
【請求項１】
正面板１に透視窓１ａを設け、背面板４に孔４ｃを設けて把手部を区画し、正面板１、側面板３にそれぞれ差込片１ｂ、差込片３ｂを設けて正面板１を側面板３に繋止して開口するように施し、上蓋板１１、上蓋板１３にそれぞれ差込孔１１ａ、差込孔１３ａを設け、上蓋板１４に差込片１４ａおよび差込片１４ｂを設けて上蓋板１１、上蓋板１３と上蓋板１４を繋止して閉口するように施し、内底板７に嵌込孔１０を設けて収納物品の支持、固定部を区画し、正面板２と側面板５の連接用の糊代板６を設けた紙製の包装用兼展示用箱。
【手続補正３】
【補正対象書類名】図面
【補正対象項目名】図３
【補正方法】変更
【補正の内容】
【図３】
0003174956.tif 000007
【手続補正書】
【提出日】平成24年1月24日(2012.1.24)
【手続補正１】
【補正対象書類名】実用新案登録請求の範囲
【補正対象項目名】全文
【補正方法】変更
【補正の内容】
【実用新案登録請求の範囲】
【請求項１】
正面板１に透視窓１ａを設け、側面板５の側縁端に折目線を介して糊代板６を区画し、糊代板６と正面板２を貼着することで、正面板２、側面板３、背面板４、側面板５がそれぞれ折目線を介して角筒状に連接され、正面板３に折目線を介して区画された開閉自在な扉状の正面板１に差込片１ｂを、正面板３に差込片３ｂをそれぞれ設けて正面板１の開口時係止部を形成し、正面板１、側面板３、背面板４、側面板５のそれぞれの上縁端に折目線を介して上蓋板１１、上蓋板１２、上蓋板１３、上蓋板１４を区画して開閉自在な上蓋部を形成し、正面板２、側面板３、背面板４、側面板５のそれぞれの下縁端に折目線を介して底面板２ａ、底面板３ａ、底面板４ａ、底面板５ａを区画して底面部を形成し、糊代板６の上縁端に折目線を介して区画された内底板７に、収納物品を支持、固定する嵌込孔１０を設け、内底板７に折目線を介して内底板７を支持するための差込片８及び差込片９を区画した紙製の包装用兼展示用箱。